【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
電気外科発電機の電気外科発電機（ＥＳＧ）制御器であって、該ＥＳＧ制御器は、
インダクタ電流ｉＬ（ｔ）を制御電流制限ｉＣと比較するように構成される電流モード制御器であって、該電流モード制御器は、該ＥＳＧの定電流動作モードまたは該ＥＳＧの定電力動作モードの間に用いられる第１のデューティサイクルｄ１（ｔ）を有する第１のスイッチング信号を生成するように構成される、電流モード制御器と、
出力電圧Ｖｏｕｔ（ｔ）を基準電圧Ｖｍａｘと比較するように構成される電圧モード制御器であって、該電圧モード制御器は、該電気外科発電機の定電圧動作モードの間に用いられる第２のデューティサイクルｄ２（ｔ）を有する第２のスイッチング信号を生成するように構成される、電圧モード制御器と、
モードセレクタであって、ｉＬ（ｔ）およびＶｏｕｔ（ｔ）の信号入力をそれぞれの電流制限および電圧制限と比較し、動作モードインディケータを生成するように構成される、モードセレクタと、
該動作モードインディケータを受信し、該ＥＳＧ制御器の動作モードの選択を容易にするように構成されるステアリングロジックであって、該ステアリングロジックは、該動作モードインディケータに基づいて第１のドライバー信号および第２のドライバー信号を該電気外科発電機に提供する、ステアリングロジックと
を備えている、電気外科発電機（ＥＳＧ）制御器。
【請求項２】
電気外科発電機であって、該電気外科発電機は、
入力電力を受信するように構成されるＤＣ−ＤＣバックコンバータと、
該ＤＣ−ＤＣバックコンバータおよびＤＣ−ＡＣブーストインバータと通信するインダクタと、
一次巻線と、二次巻線とを有する変圧器であって、該変圧器は、出力電力を負荷に伝送するように構成され、該ＤＣ−ＡＣブーストインバータは、該インダクタから入力を受信し、該変圧器の該一次巻線にＡＣ電力を移送するように構成される、変圧器と、
該ＤＣ−ＤＣバックコンバータおよび該ＤＣ−ＡＣブーストインバータの両方を制御するように構成される電気外科発電機（ＥＳＧ）制御器であって、制御は、該電気外科発電機の電気的パラメータに部分的に基づく、電気外科発電機（ＥＳＧ）制御器と
を備えている、電気外科発電機。
【請求項３】
前記電気的パラメータは、インダクタ電流または前記ＤＣ−ＡＣブーストインバータからの前記ＡＣ電力の電圧を含む、請求項２に記載の電気外科発電機。
【請求項４】
前記電気外科発電機は、選択された電圧および電流の制限内で動作するように構成される、請求項２に記載の電気外科発電機。
【請求項５】
前記電気外科発電機は、３つのモードで動作し、該モードの選択は、負荷のインピーダンスの変化に応答する、請求項２に記載の電気外科発電機。
【請求項６】
前記電気外科発電機は、直面される前記負荷に依存して少なくとも３つのモードのうちの１つで動作し、該少なくとも３つのモードは、定電圧モードと、定電流モードと、定電力モードとを含む、請求項５に記載の電気外科発電機。
【請求項７】
前記ＥＳＧ制御器は、
インダクタ電流ｉＬ（ｔ）を制御電流制限ｉＣ（ｔ）と比較するように構成される電流モード制御器と、
出力電圧Ｖｏｕｔ（ｔ）を基準電圧Ｖｍａｘと比較するように構成される電圧モード制御器と、
所定の制限に基づいて動作モードを決定し、動作モードインディケータを生成するように構成されるモードセレクタと、
該動作モードインディケータを受信し、該ＥＳＧ制御器による該動作モードの選択を容易にするように構成されるステアリングロジックと
を備えている、請求項２に記載の電気外科発電機。
【請求項８】
前記所定の制限は、電圧制限と、電流制限とを含む、請求項７に記載の電気外科発電機。
【請求項９】
前記所定の制限は、デューティサイクル制限を含む、請求項７に記載の電気外科発電機。
【請求項１０】
前記電気外科発電機は、実質的に速示の制御で動作する、請求項２に記載の電気外科発電機。
【請求項１１】
前記実質的に速示の制御は、１〜２サイクル、１〜１０サイクル、および１０〜１００サイクルのうちの少なくとも１つ内における速示制御である、請求項１０に記載の電気外科発電機。
【請求項１２】
前記実質的に速示の制御は、１００〜５００ｋＨｚの動作帯域幅を有する、請求項１１に記載の電気外科発電機。
【請求項１３】
前記電流モード制御器は、ｉＬ（ｔ）を、ユーザによって設定されるかまたはルックアップ表によって提供される前記制御電流制限ｉＣと比較し、一定のｉＬ（ｔ）を維持するために前記第１のスイッチング信号の前記第１のデューティサイクルを調節するように構成される、請求項１に記載のＥＳＧ制御器。
【請求項１４】
前記インダクタ電流ｉＬ（ｔ）と制御電流制限ｉＣとの比較は、該インダクタ電流ｉＬ（ｔ）を該制御電流ｉＣに整合させるように前記第１のスイッチング信号を調節するために使用される、請求項１に記載のＥＳＧ制御器。
【請求項１５】
前記電圧モード制御器は、コンパレータと、補償器と、パルス幅変調器（ＰＷＭ）とを備え、該電圧モード制御器は、該コンパレータにおいて前記出力電圧Ｖｏｕｔ（ｔ）を前記基準電圧Ｖｍａｘと比較し、該コンパレータの出力は、該補償器と通信し、該補償器は、該ＰＷＭを駆動するエラー信号を出力し、該ＰＷＭは、前記第２のドライバー信号を生成する、請求項１に記載のＥＳＧ制御器。
【請求項１６】
前記ステアリングロジックは、デューティサイクルｄ１を有する前記第１のスイッチング信号、デューティサイクルｄ２を有する前記第２のスイッチング信号、固定のデューティサイクルｄ３を有する第３のスイッチング信号、および固定のデューティサイクルｄ４有する第４のスイッチング信号の様々な組み合わせに基づいて前記第１のドライバー信号および前記第２のドライバー信号を提供することによって、前記動作モードを選択するようにさらに構成される、請求項１に記載のＥＳＧ制御器。
【請求項１７】
ｄ３は、ゼロに等しく、ｄ４は、１に等しい、請求項１６に記載のＥＳＧ制御器。
【請求項１８】
前記ステアリングロジックは、
前記ＥＳＧの前記定電流動作モードの間、前記第１のスイッチング信号に基づいて前記第１のドライバー信号を提供し、前記第４のスイッチング信号に基づいて前記第２のドライバー信号を提供することと、
前記定電力動作モードの間、前記第３のスイッチング信号に基づいて該第１のドライバー信号を提供し、該第１のスイッチング信号に基づいて該第２のドライバー信号を提供することと、
前記定電圧動作モードの間、該第３のスイッチング信号に基づいて該第１のドライバー信号を提供し、前記第２のスイッチング信号に基づいて該第２のドライバー信号を提供することと
を行うように構成される、請求項１６に記載のＥＳＧ制御器。
【請求項１９】
前記ステアリングロジックは、
前記ＥＳＧの前記定電流動作モードの間、前記第１のスイッチング信号に基づいて前記第１のドライバー信号を提供し、前記第４のスイッチング信号に基づいて前記第２のドライバー信号を提供することと、
該ＥＳＧの第１の定電力動作モードの間、該第１のスイッチング信号に基づいて該第１のドライバー信号を提供し、該第４のスイッチング信号に基づいて該第２のドライバー信号を提供することと、
第２の定電力動作モードの間、前記第３のスイッチング信号に基づいて該第１のドライバー信号を提供し、該第１のスイッチング信号に基づいて該第２のドライバー信号を提供することと、
前記定電圧動作モードの間、該第３のスイッチング信号に基づいて該第１のドライバー信号を提供し、前記第２のスイッチング信号に基づいて該第２のドライバー信号を提供することと
を行うように構成され、
該第１のスイッチング信号は、該定電流動作モードの間にｉＬ（ｔ）と（Ｋ＊Ｐｓｅｔ）との比較に基づき、該定電力動作モードの間にｉＬ（ｔ）と非線形時間依存変数との比較に基づく、請求項１６に記載のＥＳＧ制御器。
【請求項２０】
電気外科発電機（ＥＳＧ）を制御する方法であって、該方法は、
制限電流制限ｉＣを該ＥＳＧからのインダクタ電流ｉＬ（ｔ）フィードバック信号と比較することに基づいて、第１のデューティサイクルを有する第１のスイッチング信号を生成することと、
該ＥＳＧからのＶｏｕｔ（ｔ）フィードバック信号と基準電圧との間の差に基づいてＰＷＭ信号を調節することによって、第２のデューティサイクルを有する第２のスイッチング信号を生成することと、
固定の第３デューティサイクルを有する第３のスイッチング信号を生成することと、
固定の第４デューティサイクルを有する第４のスイッチング信号を生成することと、
該第１のスイッチング信号、該第２のスイッチング信号、該第３のスイッチング信号、および該第４のスイッチング信号の中から選択して、定電流動作モード、定電力動作モード、および定電圧動作モードのうちの１つで該ＥＳＧを制御するための第１のドライバー信号および第２のドライバー信号を出力することと
を含む、方法。
【請求項２１】
前記インダクタ電流ｉＬ（ｔ）を前記制御電流制限ｉＣに整合させるように前記第１のスイッチング信号を調節することをさらに含む、請求項２０に記載の方法。
【請求項２２】
前記選択することは、
前記ＥＳＧの前記定電流動作モードの間、前記第１のスイッチング信号に基づいて前記第１のドライバー信号を出力し、前記第４のスイッチング信号に基づいて前記第２のドライバー信号を出力することと、
前記定電力動作モードの間、前記第３のスイッチング信号に基づいて該第１のドライバー信号を出力し、該第１のスイッチング信号に基づいて該第２のドライバー信号を出力することと、
前記定電圧動作モードの間、該第３のスイッチング信号に基づいて該第１のドライバー信号を出力し、前記第２のスイッチング信号に基づいて該第２のドライバー信号を出力することと
をさらに含む、請求項２１に記載の方法。
【請求項２３】
前記第１のスイッチング信号を生成することは、
前記定電流動作モードの間、ｉＬ（ｔ）と一定の電流値との比較に基づいて前記第１のスイッチング信号を生成することと、
前記第１の定電力動作モードの間、ｉＬ（ｔ）と非線形時間依存変数との比較に基づいて該第１のスイッチング信号を生成することと
のうちの１つをさらに含む、請求項２０に記載の方法。
【請求項２４】
前記選択することは、
前記ＥＳＧの前記定電流動作モードの間、前記第１のスイッチング信号に基づいて前記第１のドライバー信号を出力し、前記第４のスイッチング信号に基づいて前記第２のドライバー信号を出力することと、
該ＥＳＧの第１の定電力動作モードの間、該第１のスイッチング信号に基づいて該第１のドライバー信号を出力し、該第４のスイッチング信号に基づいて該第２のドライバー信号を出力することと、
第２の定電力動作モードの間、前記第３のスイッチング信号に基づいて該第１のドライバー信号を出力し、該第１のスイッチング信号に基づいて該第２のドライバー信号を出力することと、
前記定電圧動作モードの間、該第３のスイッチング信号に基づいて該第１のドライバー信号を出力し、前記第２のスイッチング信号に基づいて該第２のドライバー信号を出力することと
をさらに含む、請求項２３に記載の方法。
【請求項２５】
（ａ）前記ＥＳＧの単一定電力動作モードの間、前記第３のスイッチング信号に基づいて前記第１のドライバー信号を出力し、前記第１のスイッチング信号に基づいて前記第２のドライバー信号を出力することと、
（ｂ）第１の定電力動作モードの間、該第１のスイッチング信号に基づいて該第１のドライバー信号を出力し、前記第４のスイッチング信号に基づいて該第２のドライバー信号を出力し、第２の定電力動作モードの間、該第３のスイッチング信号に基づいて該第１のドライバー信号を出力し、該第１のスイッチング信号に基づいて該第２のドライバー信号を出力することであって、該第１のスイッチング信号は、該第１の定電力動作モードの間、前記インダクタ電流ｉＬ（ｔ）と非線形時間依存変数との比較に基づき、該第１のスイッチング信号は、該第２の定電力動作モードの間、該インダクタ電流ｉＬ（ｔ）と前記制御電流制限ｉＣとの比較に基づく、ことと
のうちの１つである、請求項２０に記載の方法。